【手続補正書】
【提出日】平成25年10月31日(2013.10.31)
【手続補正１】
【補正対象書類名】特許請求の範囲
【補正対象項目名】全文
【補正方法】変更
【補正の内容】
【特許請求の範囲】
【請求項１】
方法であって、
パルス検出器で第一の光学的な信号を受信すること；
光学的なモジュールで前記第一の光学的な信号の電気的なパルスを受信すること；
前記電気的なパルスに基づいて前記光学的なモジュールで第二の光学的な信号を発生させること；並びに、
光学的なアイソレーターで逆の方向において前記第一の光学的な信号の少なくとも一部分を及び前記光学的なアイソレーターで前進の方向において前記第二の光学的な信号の少なくとも一部分を受信すること、前記光学的なアイソレーターが実質的に前記前進の方向においてターゲットへ前記第二の光学的な信号を送信すること、前記光学的なアイソレーターが実質的に前記逆の方向において前記第一の光学的な信号の少なくとも一部分を減衰させること
：を具備する、方法。
【請求項２】
請求項１の方法であって、
前記光学的なアイソレーターがファラデーアイソレーターを具備すると共に、
前記ファラデーアイソレーターがファラデー回転子、入力偏光子、及び出力偏光子を具備する、
方法。
【請求項３】
請求項１又は２の方法であって、
さらに、
遅延発生器で検出されたパルスを受信すること；
カウントダウンタイマーを確立すること；及び、
前記検出されたパルス及び前記カウントダウンタイマーに基づいて前記電気的なパルスを発生させること
：を具備する、方法。
【請求項４】
請求項１から３までのいずれか一つの方法であって、
さらに、ファイバー光学部品のケーブル上で前記光学的なモジュールから前記光学的なアイソレーターまで前記第二の光学的な信号を送信することを具備する、方法。
【請求項５】
請求項１から４までのいずれか一つの方法であって、
さらに、自由な空間の光学部品上で前記光学的なモジュールから前記光学的なアイソレーターまで前記第二の光学的な信号を送信することを具備する、方法。
【請求項６】
請求項１から５までのいずれか一つの方法において、
実質的に前記逆の方向において前記第一の光学的な信号を減衰させることは、前記第一の光学的な信号を阻止することを具備する、方法。
【請求項７】
請求項１から６までのいずれか一つの方法において、
実質的に前記前進の方向においてターゲットまで前記第二の光学的な信号を送信することは、前記ターゲットまで実質的に減衰されたものではない前記第二の光学的な信号を送信することを具備する、方法。
【請求項８】
請求項１から７までのいずれか一つの方法において、
前記光学的なアイソレーターは、前記光学的なモジュール及び前記ターゲットの間に位置決めされると共に、
前記ターゲットは、前記光学的なモジュール及び光源の間に位置決めされる、
方法。
【請求項９】
請求項１から８までのいずれか一つの方法において、
前記光学的なアイソレーターは、前記ターゲット及び光源の間に位置決めされる、方法。
【請求項１０】
請求項１から９までのいずれか一つの方法であって、
前記ターゲットがピンホールを具備する、方法。
【請求項１１】
請求項１から１０までのいずれか一つの方法であって、
さらに、
時間へとユーザーに要求されたパラメーターを変換するためにコンピューターを提供すること；
カウントダウンタイマーへと前記時間をプログラミングすること；及び、
前記検出されたパルス及び前記カウントダウンタイマーに基づいて前記電気的なパルスを発生させること
：を具備する、方法。
【請求項１２】
請求項１から１１までのいずれか一つの方法であって、
さらに、前記第一の光学的な信号を受信すると共に前記第二の光学的な信号を戻すための一つの又はより多い機器を初期化するためにコンピューターを提供することを具備する、方法。
【請求項１３】
システムであって、
第一の光学的な信号を受信することの動作の可能なパルス発生器；
前記第一の光学的な信号の電気的なパルス受信すると共に前記電気的なパルスに基づいて第二の光学的な信号を発生させることの動作の可能な光学的なモジュール；並びに、
逆の方向において前記第一の光学的な信号の少なくとも一部分を及び前進の方向において前記第二の光学的な信号の少なくとも一部分を受信する；と共に、
実質的に前記前進の方向においてターゲットまで前記第二の光学的な信号を送信する；と共に、
実質的に前記逆の方向において前記第一の光学的な信号の少なくとも一部分を減衰させる
ことの動作の可能な光学的なアイソレーター
：を具備する、システム。
【請求項１４】
請求項１３のシステムであって、
前記光学的なアイソレーターがファラデーアイソレーターを具備すると共に、
前記ファラデーアイソレーターがファラデー回転子、入力偏光子、及び出力偏光子を具備する、
システム。
【請求項１５】
請求項１３又は１４のシステムであって、
さらに、
検出されたパルスを受信する；と共に、
カウントダウンタイマーを確立する；と共に、
前記検出されたパルス及び前記カウントダウンタイマーに基づいて前記電気的なパルスを発生させる
：ことの動作の可能な遅延発生器を具備する、システム。
【請求項１６】
請求項１３から１５までのいずれか一つのシステムであって、
前記光学的なアイソレーターは、さらに、ファーバー光学部品のケーブル上で前記光学的なモジュールから前記光学的なアイソレーターまで前記第二の光学的な信号を送信することの動作の可能なものである、システム。
【請求項１７】
請求項１３から１６までのいずれか一つのシステムであって、
前記光学的なアイソレーターは、さらに、自由な空間の光学部品上で前記光学的なモジュールから前記光学的なアイソレーターまで前記第二の光学的な信号を送信することの動作の可能なものである、システム。
【請求項１８】
請求項１３から１７までのいずれか一つのシステムであって、
前記光学的なアイソレーターは、さらに、前記第一の光学的な信号を阻止することの動作の可能なものである、システム。
【請求項１９】
請求項１３から１８までのいずれか一つのシステムであって、
前記光学的なアイソレーターは、さらに、前記ターゲットまで実質的に減衰させられたものではない前記第二の光学的な信号を送信することの動作の可能なものである、システム。
【請求項２０】
請求項１３から１９までのいずれか一つのシステムにおいて、
前記光学的なアイソレーターは、前記光学的なモジュール及び前記ターゲットの間に位置決めされたものであると共に、
前記ターゲットは、前記光学的なモジュール及び光源の間に位置決めされたものである、
システム。
【請求項２１】
請求項１３から２０までのいずれか一つのシステムにおいて、
前記光学的なアイソレーターは、前記ターゲット及び光源の間に位置決めされたものである、システム。
【請求項２２】
請求項１３から２１までのいずれか一つのシステムであって、
前記ターゲットがピンホールを具備する、システム。
【請求項２３】
請求項１３から２２までのいずれか一つのシステムであって、
さらに、
時間へとユーザーに要求されたパラメーターを変換する；と共に、
カウントダウンタイマーへと前記時間をプログラミングする
：ことの動作の可能なコンピューター；並びに、
検出されたパルス及び前記カウントダウンタイマーに基づいて電気的なパルスを発生させることの動作の可能な遅延発生器
：を具備する、システム。
【請求項２４】
請求項１３から２３までのいずれか一つのシステムであって、
さらに、前記第一の光学的な信号を受信すると共に前記第二の光学的な信号を戻すための一つの又はより多い機器を初期化することの動作の可能なコンピューターを具備する、システム。